(57)【要約】請求項１にて述べられた本件発明は、毛布相互間ならびにバッグに繋ぐと云う課題に根ざすものであり、広げた状態では更に別の毛布を付け加えることで第３図のとおり無限大に拡張することを可能とし、そして／または、折畳んだ状態では場所を取らずにバッグに取り付ける（第４図、第５図、第６図）ことを可能にすべく結合手段を備えた毛布を創作するものである。この課題は、請求項１にて掲げられたメルクマールによって解決される。本件発明によって結合手段を備える毛布とは、側面に望ましくはジッパーを備えたものを創ることとなって実現される。毛布の四つの側面全てにジッパーが付くことによって、任意に多数の毛布が相互に繋がるようになり、ジッパーＣ及びＤによって毛布はバッグに取り付けられる。ここで毛布の長さは、バッグ上のジッパーＣ及びＤの外周間隔に相当するものである。【選択図】図８
2009540893.tif 000002
【特許請求の範囲】
【請求項１】
バッグに巻付けて持ち運び可能であり、拡張可能な毛布において、
前記毛布が、図１／図１．１（Ａ、Ｂ、Ｃ、Ｄ）に見られるとおり、その四辺全てにジッパー片側が設けられており、これによって複数枚の毛布が相互に連結可能であり、前記毛布が、上側ジッパー(Ｃ)と下側ジッパー（Ｄ）によってバッグに取り付け可能であり、折畳まれた状態（図２／図２．１）でバッグに巻き付けられることを特徴とする毛布。 
【請求項２】
請求項１に記載のバッグに巻付けて持ち運び可能であり、拡張可能な毛布において、前記ジッパーに代えてベルクロファスナーやスナップ及びこれらの類似品、幌止具、ならびにボタンによって取り付けられることを特徴とする毛布。
【請求項３】
請求項１に記載のバッグに巻付けて持ち運び可能であり、拡張可能な毛布において、当該毛布がバッグの収納空間を占有することがないよう、図５に見られるようにバッグの外側に取り付けられるものであることを特徴とする毛布。
【請求項４】
請求項１に記載のバッグに巻付けて持ち運び可能であり、拡張可能な毛布において、前記ジッパー（Ｃ）及び（Ｄ）は、前記毛布の辺の長さに対して部分的に設けられており、その中央部分に取り付けられていることを特徴とする毛布。
【請求項５】
請求項１に記載のバッグに巻付けて持ち運び可能であり、拡張可能な毛布において、前記ジッパー（Ｃ）及び（Ｄ）の長さは、前記毛布の辺の長さの丁度半分であり、その中央部分に取り付けられていることを特徴とする毛布。
【請求項６】
請求項１に記載のバッグに巻付けて持ち運び可能であり、拡張可能な毛布において、前記毛布の長さＬ１からＬ５が、図８のジッパーＣ及びＤ間の全長Ｌなので、バッグ上でのジッパーＣ及びＤ間の外周間隔に相当するものであることを特徴とする毛布。
【請求項７】
請求項１乃至６のいずれか１項に記載のバッグのための毛布。
【発明の詳細な説明】
【技術分野】
【０００１】
市場においては、一般的なピクニックシートや毛布は単純な縁取りがなされている。それらは敷面を広げるには、単に別の毛布と重ね合わせるか、あるいは単に隣接させるだけである。これがずれてしまうと草の上や地面に直接座ることになり、衣服を汚してしまうことになる。
【０００２】
これらを持ち運ぶには、折畳んで巻取りベルトを掛けて肩に担うか、あるいはバッグもしくはリュックサックに詰め入れることになる。
【０００３】
このことは、余分なものを携行しなければならない結果となる。
【０００４】
請求項１に記載されている本発明は、この課題を踏まえて、毛布相互間ならびにバッグに繋ぐ結合手段を備えた毛布を創作することであり、広げた状態では更に別の毛布を付け加えることで図３に示すとおり無限大に拡張することを可能とし、及び／又は、折畳んだ状態では場所を取らずにバッグに取り付けることが可能である（図４、図５、図６）。
【０００５】
この課題は、請求項１に記載したメルクマールによって解決される。
【０００６】
本件発明による、結合手段を具える毛布は、側面に望ましくはジッパーを具えることによって実現される。
【０００７】
毛布の四方の側面全てにジッパーを設けることによって、任意に多数の毛布を相互に繋げることが可能である。
【０００８】
ジッパーＣ及びＤによって毛布はバッグに取り付けられる。毛布の長さ、すなわちＬ１からＬ５の間隔は、図８のジッパーＣ及びＤ間の全長Ｌであるから、ジッパーＣ及びＤの間の長さは、バッグにあってはジッパーＣ及びＤの外周間隔に相当する。毛布はここでは一段もしくは多段に折畳まれてバッグに巻かれるようになり、それによって違ったバッグの意匠が醸し出される。
【０００９】
本発明の一実施例を図１乃至図７を参照して詳述する。
ここで、図１／図１．１は、折畳線（破線）と共に、ジッパーＡ及びＢが長辺側に、ジッパーＣ及びＤが短辺側に設けられている毛布を広げた状態で示す。ジッパーＣ及びＤは、この実施例においては辺の幅の半分のみの長さで、且つ、その中央部分に位置するように縫付けられている。これによって、Ｘ１とＸ２の部分が内側に折れて、長いジッパーＡ及びＢによって繋ぐことが可能となる。
【００１０】
図２は、折畳まれた状態の毛布を、前から見たものであり、図２．１はジッパーによって裏側が繋がれた状態を示す。
【００１１】
図３は、ジッパーで相互に繋がれた毛布を示す図であり、水平方向にＡ−Ｂ−Ａ−Ｂと繋がり、垂直方向にＣ−Ｄ−Ｃ−Ｄと繋がっている。
【００１２】
図４は、毛布が取り付けられる前の開いたジッパーＣを具え、開いた状態にあるバッグを示す。
【００１３】
図５は、ジッパーＣによってバッグに毛布が取り付けられた状態を示す。
【００１４】
図６は、バッグに毛布が巻き付けられる過程を示す図であり、閉められたジッパーＣとまだ開いたままのジッパーＤが見て取れる。
【００１５】
図７は、ジッパーＤが閉められてバッグに取り付けられており、毛布でスッポリと覆われたバッグの側面を示す図である。
【図１】
2009540893.tif 000003
【図１．１】
2009540893.tif 000004
【図２−２．１】
2009540893.tif 000005
【図３】
2009540893.tif 000006
【図４−６】
2009540893.tif 000007
【図７】
2009540893.tif 000008
【図８】
2009540893.tif 000009
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
バッグに巻付けて持ち運び可能であり、拡張可能な毛布において、
前記毛布が、図１／図１．１（Ａ，Ｂ，Ｃ，Ｄ）に見られるとおり、その四辺全てにジッパー片側が設けられており、これによって複数枚の毛布が相互に連結可能であり、前記毛布が、上側ジッパー(Ｃ)と下側ジッパー(Ｄ)によってバッグに取り付け可能であり、長手方向で中央に向けて折畳まれて長辺側のジッパー片側(Ａ，Ｂ)同士が連結され、折畳まれた状態（第２図／第２．１図）となってバッグに巻き付けられることを特徴とする毛布。
【請求項２】
請求項１に記載のバッグに巻付けて持ち運び可能であり、拡張可能な毛布において、前記毛布がベルクロファスナーやスナップおよびこれらの類似品、幌止具、ならびにボタンによって取り付けられることを特徴とする毛布。
【請求項３】
請求項１に記載のバッグに巻付けて持ち運び可能であり、拡張可能な毛布において、当該毛布がバッグの収納空間を占有することがないよう、図５に見られるようにバッグの外側に取り付けられるものであることを特徴とする毛布。
【請求項４】
請求項１に記載のバッグに巻付けて持ち運び可能であり、拡張可能な毛布において、前記ジッパー（Ｃ）及び（Ｄ）は、前記毛布の辺の長さに対して部分的に設けられており、その中央部分に取り付けられていることを特徴とする毛布。
【請求項５】
請求項１に記載のバッグに巻付けて持ち運び可能であり、拡張可能な毛布において、前記ジッパー（Ｃ）及び（Ｄ）の長さは、前記毛布の辺の長さの丁度半分であり、その中央部分に取り付けられていることを特徴とする毛布。
【請求項６】
請求項１に記載のバッグに巻付けて持ち運び可能であり、拡張可能な毛布において、前記毛布の長さＬ１からＬ５が、図８のジッパーＣ及びＤ間の全長Ｌなので、バッグ上でのジッパーＣ及びＤ間の外周間隔に相当するものであることを特徴とする毛布。
【請求項７】
請求項１乃至６のいずれか１項に記載のバッグ用の毛布において、当該毛布は、その四辺全てにジッパー片側が設けられており、これによって複数枚の毛布が相互に連結可能となっていることを特徴とする毛布。
【手続補正２】
【補正対象書類名】明細書
【補正対象項目名】０００３
【補正方法】変更
【補正の内容】
【０００３】
このことは、余分なものを携行しなければならない結果となる。
従来技術としてＤＥ２０  ２００５  ００７  １０５Ｕ１を参照されたい。
【国際調査報告】
2009540893.tif 000010
2009540893.tif 000011
2009540893.tif 000012
2009540893.tif 000013